(57)【特許請求の範囲】
【請求項１】
スイッチベースの外周ネジ部にナットを螺装し、内部に押圧自在に操作部材を収容するとともに、スイッチを取り付けたランプソケットを上記スイッチベースの下端に組み付けて構成され、スイッチの開閉操作によりランプが照光する照光式スイッチであって、該照光式スイッチに装着され、スイッチベースからランプソケットの脱落を防止する照光式スイッチ用クリップバンドにおいて、
前記クリップバンドは、Ｕ字状フレームと、該Ｕ字状フレームの両側に対向状に設けられるサポート片と、Ｕ字状フレームの一方端側に回動自在に支持され、Ｕ字状フレームの他方端に係止される締付用オープナーとから構成され、Ｕ字状フレームをスイッチベースの外周ネジ部に装着したとき、サポート片の対向面がスイッチベース及びランプソケットの双方に嵌合状態となり、締付用オープナーを閉鎖操作して、サポート片を嵌合方向に付勢することを特徴とする照光式スイッチ用クリップバンド。
【請求項２】
サポート片の対向面における上部側は、微小ギザ目状の係止面として形成され、仕様の異なる照光式スイッチにおけるスイッチベースのネジ山ピッチの変動幅を吸収できるようにしたことを特徴とする請求項１に記載の照光式スイッチ用クリップバンド。
【発明の詳細な説明】
【０００１】
【発明の属する技術分野】
この発明は、アミューズメントゲーム機、各種自動販売機、あるいは展示パネル等に取り付けられる照光式スイッチに係り、特に、緩みや振動等によるランプソケットの脱落を確実に防止できる照光式スイッチ用クリップバンドに関する。
【０００２】
【従来の技術】
図７は、ゲームセンター等に置かれているゲーム機１を示すもので、ゲーム機１のディスプレー１ａの下側に位置する操作用盤面パネル（以下、取付パネルという）１ｂには、ゲーム内容が表示されているとともに、遊戯する際に使用するカーソル２の他に、変換ボタン、あるいは決定ボタンとして、照光式スイッチ３が取り付けられている。
【０００３】
この種照光式スイッチ３の構成を簡単に説明すると、図８に示すように、スイッチベース４内にスタッド等の操作部材が押圧操作可能に収容されており、スイッチベース４の下端には、図示しないランプを保持するランプソケット５が嵌着固定され、このランプソケット５にマイクロスイッチ６が組み付けられている。
【０００４】
そして、この照光式スイッチ３をゲーム機１の取付パネル１ｂに取り付けるには、取付パネル１ｂの取付孔１ｃにスイッチベース４のフランジ４ａを表面側に位置させて取付孔１ｃ内に挿入した後、スイッチベース４の外周ネジ溝に螺装されているナット７を締め付け、取付パネル１ｂの表裏面側からフランジ４ａとナット７を挟み付けることにより、照光式スイッチ３を取付パネル１ｂに固定している。
【０００５】
【発明が解決しようとする課題】
このように、従来の照光式スイッチ３では、スイッチベース４に対してランプソケット５を嵌合固定しているだけであり、長期間使用していると、双方の間に緩みが生じたり、振動等によりランプソケット５がスイッチベース４から脱落する恐れがあり、スイッチの信頼性を確保するために、ランプソケット５の脱落防止対策を講じることが急務とされていた。
【０００６】
とりわけ、ゲーム機１等では、遊戯者がプレーに夢中になるため、照光式スイッチ３を過度の力で押圧したり、取付パネル１ｂ自体に力や振動等が加わりやすく、ランプソケット５の脱落を助長させる傾向にある。
【０００７】
この発明は、このような事情に鑑みてなされたもので、ゲーム機、自動販売機、展示パネル等に取り付けられる照光式スイッチにおいて、スイッチベースからランプソケットが脱落することを確実に防止できる照光式スイッチ用クリップバンドを提供することを目的とする。
【０００８】
この発明の他の目的とするところは、照光式スイッチへの脱着が容易であり、且つ再利用可能な照光式スイッチ用クリップバンドを提供することを目的とする。
【０００９】
この発明のさらに他の目的並びに作用効果については、以下の記述を参照することにより、当業者であれば容易に理解されるであろう。
【００１０】
【課題を解決するための手段】
上記目的を達成するために、この出願の請求項１に記載の発明は、スイッチベースの外周ネジ部にナットを螺装し、内部に押圧自在に操作部材を収容するとともに、スイッチを取り付けたランプソケットを上記スイッチベースの下端に組み付けて構成され、スイッチの開閉操作によりランプが照光する照光式スイッチであって、該照光式スイッチに装着され、スイッチベースからランプソケットの脱落を防止する照光式スイッチ用クリップバンドにおいて、前記クリップバンドは、Ｕ字状フレームと、該Ｕ字状フレームの両側に対向状に設けられるサポート片と、Ｕ字状フレームの一方端側に回動自在に支持され、Ｕ字状フレームの他方端に係止される締付用オープナーとから構成され、Ｕ字状フレームをスイッチベースの外周ネジ部に装着したとき、サポート片の対向面がスイッチベース及びランプソケットの双方に嵌合状態となり、締付用オープナーを閉鎖操作して、サポート片を嵌合方向に付勢することを特徴とする。
【００１１】
ここで、Ｕ字状フレームの両側に対向して形成されるサポート片のそれぞれ対向面上部側には、スイッチベースの外周ネジ部と係止する係止面（例えば、ギザ目）が形成される一方、サポート片対向面の下部側とランプソケットとの間には、一方側に突起、他方側にこの突起と嵌合する凹部が形成されていれば良い。
【００１２】
そして、請求項１に記載の発明によれば、スイッチベースの外周ネジ部にオープナーを開放したＵ字状フレームを装着すれば、Ｕ字状フレームの両側に設けられているサポート片の上部側係止面はスイッチベースのネジ溝に係合するとともに、サポート片の下部側がランプソケットに凹凸嵌合状態となる。そして、オープナーを回動操作してＵ字状フレームの端末間を結束すれば、クリップバンドをループ状となし、かつＵ字状フレームの端末間を引き寄せるようにオープナーが作用するため、サポート片同士が嵌合方向に付勢されることになる。
【００１３】
従って、このサポート片の嵌合作用により、長期使用によっても、また、振動等、過度の衝撃が頻繁に加わっても、スイッチベースに取り付けられたランプソケットが脱落することがない。
【００１４】
また、本発明に係るクリップバンドは着脱可能に構成されているため、照光式スイッチに取り付けた後においてもメンテナンスなどの際に容易に取り外しができ、しかもメンテナンス終了の後は再利用が可能である。
【００１５】
この出願の請求項２に記載の発明は、サポート片の対向面における上部側は、微小ギザ目状の係止面として形成され、仕様の異なる照光式スイッチにおけるスイッチベースのネジ山ピッチの変動幅を吸収できるようにしたことを特徴とする。
【００１６】
そして、請求項２に記載の発明によれば、Ｕ字状フレームの両側に対向状に設けられているサポート片の上部側対向面には、微小ギザ目が形成されているため、仕様の異なる照光式スイッチでネジ山ピッチが相違しても、スイッチベースとサポート片との良好な係合状態が維持できるため、仕様の異なる照光式スイッチに対してもクリップバンドの共用化が可能となる。
【００１７】
【発明の実施の形態】
以下、本発明に係る照光式スイッチ用クリップバンドの実施形態について、添付図面を参照しながら詳細に説明する。
【００１８】
図１は照光式スイッチにクリップバンドを装着した状態を示す斜視図、図２は照光式スイッチ及びクリップバンドの各構成を示す分解斜視図、図３はクリップバンドの斜視図、図４はクリップバンドの（ａ）側面図並びに（ｂ）平面図、図５，図６はクリップバンドを照光式スイッチに取り付ける使用形態を示す説明図である。
【００１９】
図１は照光式スイッチ１０にクリップバンド２０を装着した状態を示しており、照光式スイッチ１０の詳細構造について、図２を基に説明する。照光式スイッチ１０におけるスイッチベース１１は、矩形状のフランジ１１１と中空円筒部１１２とからなり、スイッチベース１１内部には、常時上方に付勢され、押し下げ操作するスタッド１２がコイルスプリング１３を介して収容されており、スタッド１２の上面には、スタッドプレート１２１、遮光板１２２、キャップ１２３が載置される。
【００２０】
更に、スイッチベース１１の下端側には、ランプソケット１４が圧入固定されており、このランプソケット１４には、ランプ１４１と電極用金具１４３が取り付けられ、かつランプソケット１４の下端側には、マイクロスイッチ１５が組み付けられる。本実施例においては、クリップバンド２０は、ランプソケット１４の両側面に設けられた電極用金具１４３取付用の貫通孔１４２に嵌合するように取り付けられる。もちろん、貫通孔１４２を使用せずに別途クリップバンド２０取付用の貫通穴乃至凹部を開設してもよい。
【００２１】
そして、ゲーム機等の取付パネルに照光式スイッチ１０を固定するために、スイッチベース１１における円筒部１１２の外周面にネジ溝１１３が刻設され、円筒部１１２にはワッシャー１６１を介してナット１６が螺装されている。
【００２２】
すなわち、スイッチベース１１内にスタッド１２をコイルスプリング１３を介して収容し、スタッド１２上面にスタッドプレート１２１、遮光板１２２、キャップ１２３を取り付けるとともに、ランプ１４１を取り付けたランプソケット１４をスイッチベース１１の下端側に嵌合固定した状態で取付パネルの取付孔にスイッチベース１１の円筒部１１２を挿入した後、ナット１６をスイッチベース１１の円筒部１１２のネジ溝１１３に締め付けていけば、スイッチベース１１のフランジ１１１とナット１６（ワッシャー１６１が介在している）との間で取付パネルを挟持することにより照光式スイッチ１０が取り付けられる。
【００２３】
そして、照光式スイッチ１０の上面に位置するキャップ１２３を押圧すれば、コイルスプリング１３により上方にバネ付勢されているスタッド１２が下方に押され、脚片１２４がマイクロスイッチ１５の接点１５１を閉成し、マイクロスイッチ１５に通電される毎にランプ１４１が点灯するという構成である。
【００２４】
尚、スイッチベース１１とランプソケット１４とは、ランプ１４１の交換等が行なえるように着脱自在であり、スイッチベース１１の内壁面及びランプソケット１４の外側面の一方側に凸部、他方側に凹部を設け、凹凸嵌合を利用して圧入式に嵌着固定される。
【００２５】
ところで、本発明に係る照光式スイッチ１０は、スイッチベース１１からランプソケット１４が不用意に脱落することがないように、スイッチベース１１及びランプソケット１４双方を締付固定できるクリップバンド２０を提供することが課題である。
【００２６】
このクリップバンド２０は、ポリプロピレン（ＰＰ）、ポリエチレン（ＰＥ）、ポリアミド（ＰＡ）等、汎用合成樹脂の射出成形体から構成されており、図３，図４に示すように、照光式スイッチ１０におけるスイッチベース１１の円筒部１１２の外周面に装着するためのＵ字状フレーム２１と、Ｕ字状フレーム２１の両側に対向して設けられ、上下方向に延びる一対のサポート片２２と、Ｕ字状フレーム２１の端末間を連結して、ループ状となし、しかも端末同士が引き合う方向に付勢するための締付用オープナー２３とから大略構成されている。
【００２７】
更に詳しくは、サポート片２２の上部側はそれぞれ対向面に微小ギザ目２２１が形成され、サポート片２２の下部側には、突起２２２が突設形成されている。
【００２８】
一方、Ｕ字状フレーム２１の両端末には、それぞれ溝部２１１、２１２が形成され、一方側の溝部２１１は、締付用オープナー２３の回動支点となる軸受用溝部であり、他方側の溝部２１２は、締付用オープナー２３の自由端側（係止部）２３１を係止する係止用溝部として機能する。
【００２９】
尚、サポート片２２における微小ギザ目２２１は、照光式スイッチ１０のスイッチベース１１の外周ネジ溝１１３と係合してサポート片２２とスイッチベース１１との嵌合強度を高めるとともに、サポート片２２の突起２２２は、ランプソケット１４に設けた貫通孔１４２内に嵌合する。
【００３０】
次いで、図５，図６に基づいて、照光式スイッチ１０にクリップバンド２０を装着する作業手順について説明する。尚、本発明に係るクリップバンド２０は、取付パネルに照光式スイッチ１０を取り付けた後、装着しても良く、また、取付パネルに取り付ける前に、クリップバンド２０を照光式スイッチ１０に予め装着しておいても良い。
【００３１】
すなわち、クリップバンド２０のオープナー２３を開放した状態でＵ字状フレーム２１の開口を通してスイッチベース１１の円筒部１１２に図５に示すようにＵ字状フレーム２１を装着する。
【００３２】
このとき、Ｕ字状フレーム２１の両側に設けられているサポート片２２の下部側にそれぞれ形成した突起２２２をランプソケット１４の貫通孔１４２内に嵌合することにより、サポート片２２を位置決めすることができ、ランプソケット１４に対してサポート片２２の下端側を嵌合装着すれば、サポート片２２の上部側に形成されている微小ギザ目２２１がスイッチベース１１の外周ネジ溝１１３内に係着することにより、スイッチベース１１及びランプソケット１４に対してサポート片２２が強固に嵌着される。
【００３３】
その後、図６に示すように、締付用オープナー２３を軸受用溝部２１１を基に回動操作して、オープナー２３の係止部２３１をＵ字状フレーム２１の係止用溝部２１２内に係着すれば、クリップバンド２０全体がループ状となり、径方向に脱落することがないとともに、締付用オープナー２３によりＵ字状フレーム２１の両端末が引き合うように力が加わるため、サポート片２２は、図４（ｂ）中矢印ａ方向に付勢され、サポート片２２がスイッチベース１１、ランプソケット１４側に押圧付勢された状態となり、サポート片２２による支持強度を強化することができる。
【００３４】
このように、本発明に係るクリップバンド２０は照光式スイッチ１０に簡単に取り付けることができるとともに、本発明に係るクリップバンド２０によれば、Ｕ字状フレーム２１の両側にそれぞれ対向状に設けたサポート片２２がスイッチベース１１及びランプソケット１４を径方向反対側から挟み付けるように嵌着支持するため、長期間使用しても、また、振動や衝撃が加わっても、スイッチベース１１からランプソケット１４が脱落することがなく、機器の信頼性を高め、メンテナンス頻度も少なくできる。
【００３５】
更に、本発明に係るクリップバンド２０は、特にスイッチベース１１の外周ネジ部１１３に嵌合する係止部として微小ギザ目２２１が形成されているため、仕様の異なる照光式スイッチのネジ山ピッチ寸法が変動しても有効に対応でき、汎用性に富むという利点がある。
【００３６】
【発明の効果】
以上説明した通り、本発明に係る照光式スイッチ用クリップバンドは、スイッチベースの外周面に装着されるＵ字状フレームの両側に対向状に設けられるサポート片により、スイッチベースとランプソケットとをそれぞれ嵌着支持するとともに、オープナーを閉鎖することで更にサポート片の嵌着強度を強化するというものであり、スイッチベースからランプソケットの脱落を確実に防止することができるという効果を有する。また、メンテナンスなどの際にも容易に取り外し可能であり、メンテナンス終了後は再利用が可能であるため、コストの面からも好ましい。
【００３７】
更に、オープナーを開放してＵ字状フレームの開口からスイッチベースを抱き込むように装着すれば、簡単に装着することができ、取付パネルにスイッチを取り付ける前後、いずれでも簡単に装着することができ、作業性を高めることができるという効果を有する。
【図面の簡単な説明】
【図１】本発明に係るクリップバンドを装着した照光式スイッチの斜視図である。
【図２】図１に示す照光式スイッチの構成を示す分解斜視図である。
【図３】本発明に係るクリップバンドの一実施形態の構成を示す斜視図である。
【図４】図３に示す本発明に係るクリップバンドの（ａ）側面図、（ｂ）平面図である。
【図５】本発明に係るクリップバンドを照光式スイッチに装着する装着初期時の状態を示す側面図である。
【図６】本発明に係るクリップバンドを照光式スイッチに装着した状態を示す側面図である。
【図７】ゲーム機を示す外観図である。
【図８】従来の照光式スイッチを示す側面図である。
【符号の説明】
１０  照光式スイッチ
１１  スイッチベース
１１１  フランジ
１１２  円筒部
１１３  ネジ溝
１２  スタッド
１２１  スタッドプレート
１２２  遮光板
１２３  キャップ
１２４  脚片
１３  コイルスプリング
１４  ランプソケット
１４１  ランプ
１４２  貫通孔
１４３  電極用金具
１５  マイクロスイッチ
１５１  接点
１６  ナット
１６１  ワッシャー
２０  クリップバンド
２１  Ｕ字状フレーム
２１１  軸受用溝部
２１２  係合用溝部
２２  サポート片
２２１  微小ギザ目
２２２  突起
２３  締付用オープナー
２３１  係止部
【図１】
0003867773.tif 000002
【図２】
0003867773.tif 000003
【図３】
0003867773.tif 000004
【図４】
0003867773.tif 000005
【図５】
0003867773.tif 000006
【図６】
0003867773.tif 000007
【図７】
0003867773.tif 000008
【図８】
0003867773.tif 000009